(57)【要約】【課題】切妻屋根において、建物の形状や屋根の間口が変わっても、棟の位置が一定であり、部材の寸法や形状をほぼ同一にすることができる、屋根構造及び家屋を提供する。【解決手段】相対向する一対の切妻壁部と、山形をなすように突き合わされるとともに一対の切妻壁部上に掛け渡された一対の屋根材とを有する屋根構造であって、妻壁部は、無機発泡体を有し、一対の屋根材の間口が４〜６間であり、一対の屋根材のうち、第１の側に配された一方の屋根材が４５度勾配を有し、第１の側と反対側の第２の側に配された他方の屋根材が２．５寸勾配を有する、偏芯した切妻屋根であることを特徴とする。【選択図】図１
2019218856.tif 000002
【特許請求の範囲】
【請求項１】
複数の家屋からなる家屋群であって、該家屋の屋根は、
互いに形状及び面積が等しい相対向する一対の切妻壁部と、山形をなすように突き合わされるとともに該一対の切妻壁部上に掛け渡され、棟を１つだけ形成する、一対の屋根材とを有し、
前記切妻壁部は、骨組みとして傾斜梁と水平梁とを有し、該傾斜梁と該水平梁との間には、略鉛直に設けられた複数の間柱が配されており、該複数の間柱の間には、該棟と直交する１又は複数の面において、妻壁部が配されており、
前記一対の屋根材の間口が４〜６間であり、
前記一対の屋根材のうち、第１の側に配された一方の屋根材が４５度勾配を有し、前記第１の側と反対側の第２の側に配された他方の屋根材が２．５寸勾配を有する、偏芯した切妻屋根であり、
前記家屋の平面形状及び／又は間口に拘わらず、該複数の家屋の屋根に対して、前記切妻壁部及び／又は前記屋根材において略同じ寸法および形状の部材が共通に使用されていることを特徴とする、家屋群。
【請求項２】
前記第１の側が北側である、請求項１に記載の家屋群。
【請求項３】
前記妻壁部の無機発泡体が、通気型無機断熱コンクリート（ＢＩＣ）である、請求項１又は２に記載の家屋群。
【請求項４】
前記家屋の延べ床面積が、３０〜５０坪である、請求項１〜３のいずれか一項に記載の家屋群。
【請求項５】
前記家屋が入隅構造を有する、請求項１〜４のいずれか一項に記載の家屋群。
【請求項６】
前記第２の側に配された他方の屋根材上に、複数枚の太陽光発電パネルが並べて配されている、請求項１〜５のいずれか一項に記載の家屋群。
【請求項７】
複数の家屋の屋根の施工方法であって、該屋根は、
互いに形状及び面積が等しい相対向する一対の切妻壁部と、山形をなすように突き合わされるとともに該一対の切妻壁部上に掛け渡され、棟を１つだけ形成する、一対の屋根材とを有し、
前記切妻壁部は、骨組みとして傾斜梁と水平梁とを有し、該傾斜梁と該水平梁との間には、略鉛直に設けられた複数の間柱が配されており、該複数の間柱の間には、該棟と直交する１又は複数の面において、妻壁部が配されており、
前記一対の屋根材の間口が４〜６間であり、
前記一対の屋根材のうち、第１の側に配された一方の屋根材が４５度勾配を有し、前記第１の側と反対側の第２の側に配された他方の屋根材が２．５寸勾配を有する、偏芯した切妻屋根であり、
前記家屋の平面形状及び／又は間口に拘わらず、該複数の家屋の屋根に対して、前記切妻壁部及び／又は前記屋根材において略同じ寸法および形状の部材を共通に使用することができることを特徴とする、屋根の施工方法。
【請求項８】
前記第１の側が北側である、請求項７に記載の屋根の施工方法。
【請求項９】
前記妻壁部の無機発泡体が、通気型無機断熱コンクリート（ＢＩＣ）である、請求項７又は８に記載の屋根の施工方法。
【請求項１０】
請求項７〜９のいずれか一項に記載の屋根の施工方法を有する、家屋の施工方法。
【請求項１１】
延べ床面積が、３０〜５０坪である、請求項１０に記載の家屋の施工方法。
【請求項１２】
入隅構造を有する、請求項１０又は１１に記載の家屋の施工方法。
【請求項１３】
前記第２の側に配された他方の屋根材上に、複数枚の太陽光発電パネルを並べて配する、請求項１０〜１２のいずれか一項に記載の家屋の施工方法。
【発明の詳細な説明】
【技術分野】
【０００１】
本発明は、屋根構造及び家屋に関する。特に、本発明は、切妻屋根において、建物の形状や屋根の間口が変わっても、棟の位置が一定であり、部材の寸法や形状をほぼ同一にすることができる、屋根構造及び家屋に関する。
【背景技術】
【０００２】
従来、切妻形式の屋根を有する家屋が知られており、このような家屋として、例えば特許文献１に示すものが知られている。
従来、切妻屋根は、棟を中心に左右対称となるように形成されてきた。すなわち、傾斜屋根の間口によって棟の位置及び高さが決定される。このため、例えば平面プランで入隅を有する家屋などのように、屋根間口が異なる部分が生じると、その部分で棟の位置が異なる棟違いとなる。また、屋根勾配が一定とすると、屋根の間口によって棟の高さが決定される。
【先行技術文献】
【特許文献】
【０００３】
【特許文献１】特開２００４−３４６５２４号公報
【発明の概要】
【発明が解決しようとする課題】
【０００４】
従来の構造では、屋根の水平梁と斜め梁とで構成された面の全面に妻パネルを取り付けて妻壁を構成している。このため、家屋の平面プランによって屋根の形状が異なると、それに応じて、妻壁形状が全て異なるものとなり、個別に妻パネルなどの部材を作製する必要があり、生産効率の向上を妨げる一因となっていた。
しかも、屋根の平面形状によっては、屋根の上に妻壁が載っているような構造が発生し、その雨仕舞処理のために一対の妻壁の面積が異なってしまうこともあった。
【０００５】
本発明は、上述した従来の実情に鑑みてなされたものであり、切妻屋根において、建物の形状や屋根の間口が変わっても、棟の位置が一定であり、部材の寸法や形状をほぼ同一にすることができる、屋根構造及び家屋を提供することを目的とする。
【課題を解決するための手段】
【０００６】
本発明者は、切妻屋根において、傾斜を偏芯させて、間口及び屋根の傾斜角度を規定することにより、建物の平面形状や屋根の間口が変わっても、棟の位置を一定に保つことができることに想到した。すなわち、本発明は以下のとおりである。
［１］
家屋の平面形状及び／又は間口に拘わらず共通に使用することができる屋根構造であって、
互いに形状及び面積が等しい相対向する一対の切妻壁部と、山形をなすように突き合わされるとともに該一対の切妻壁部上に掛け渡され、棟を１つだけ形成する、一対の屋根材とを有し、
前記切妻壁部は、骨組みとして傾斜梁と水平梁とを有し、該傾斜梁と該水平梁との間には、略鉛直に設けられた複数の間柱が配されており、該複数の間柱の間には、該棟と直交する１又は複数の面において、無機発泡体が配されており、
前記一対の屋根材の間口が４〜６間であり、
前記一対の屋根材のうち、第１の側に配された一方の屋根材が４５度勾配を有し、前記第１の側と反対側の第２の側に配された他方の屋根材が２．５寸勾配を有する、偏芯した切妻屋根であることを特徴とする、屋根構造。
［２］
前記第１の側が北側である、［１］に記載の屋根構造。
［３］
前記無機発泡体が、通気型無機断熱コンクリート（ＢＩＣ）である、［１］又は［２］に記載の屋根構造。
［４］
［１］〜［３］のいずれかに記載の屋根構造を有する、家屋。
［５］
延べ床面積が、３０〜５０坪である、［４］に記載の家屋。
［６］
入隅構造を有する、［４］又は［５］に記載の家屋。
［７］
前記第２の側に配された他方の屋根材上に、複数枚の太陽光発電パネルが並べて配されている、［４］〜［６］のいずれかに記載の家屋。
【発明の効果】
【０００７】
本発明の屋根では、切妻屋根の棟の位置を偏芯させることにより、間口に左右されずに棟の位置を一定にすることができる。これにより、妻壁が屋根の上に載ることを回避することができ、相対向する一対の妻壁の面積を等しくすることができる。その結果、部材の寸法や形状をほぼ同一にすることができる。
【図面の簡単な説明】
【０００８】
【図１】ＤＩシステムを搭載した家屋において、妻壁部分を示す図である。
【図２】妻壁部の横断面を示す図である。
【図３】第１のプランにおいて、家屋を上から見た図である。
【図４】第１のプランにおいて、家屋の斜視図である。
【図５】第２のプランにおいて、家屋を上から見た図である。
【図６】第２のプランにおいて、家屋の斜視図である。
【図７】第３のプランにおいて、家屋を上から見た図である。
【図８】第３のプランにおいて、家屋の斜視図である。
【図９】第４のプランにおいて、家屋を上から見た図である。
【図１０】第４のプランにおいて、家屋の斜視図である。
【図１１】第５のプランにおいて、家屋を上から見た図である。
【図１２】第６のプランにおいて、家屋を上から見た図である。
【図１３】第６のプランにおいて、家屋の屋根上に太陽光発電パネルを敷き並べた様子を示した図である。
【発明を実施するための形態】
【０００９】
以下、本発明の実施の形態について、図面を参照しながら説明する。
本発明に係る屋根構造は、ダイナミックインシュレーション（Dynamic Insulation：以下、ＤＩと称する）による換気システムを採用した家屋において好適に適用される屋根構造である。
ダイナミックインシュレーションとは、熱容量が大きく通気性がある大面積の建物外皮から換気の給気を取る手法である。建物外皮から逃げる室内の熱（貫流熱）を回収することによる省エネルギー効果、給排気分散化による気流感の緩和、壁面自然換気口の削減による美観向上などの利点がある。特に、ＤＩを給気と排気とを交互に行う呼吸型にすることにより、換気の排気熱も回収し、高い省エネルギー性と乾燥感の改善に貢献すると考えられる。
【００１０】
本発明の屋根構造は、相対向する一対の切妻壁部と、山形をなすように突き合わされるとともに一対の切妻壁部上に掛け渡された一対の屋根材とを有する屋根構造であって、妻壁部は、無機発泡体を有し、一対の屋根材の間口が４〜６間であり、一対の屋根材のうち、第１の側に配された一方の屋根材が４５度勾配を有し、第１の側と反対側の第２の側に配された他方の屋根材が２．５寸勾配を有する、偏芯した切妻屋根であることを特徴とする。
【００１１】
図１は、ＤＩシステムを搭載した家屋において、妻壁部分を描いたものである。
屋根部１は、その骨組として、斜め梁２ａ，２ｂと、棟梁（図示略）と、水平梁３とを有する。そして屋根部１は、斜め梁２ａ，２ｂと水平梁３とによって形成される面に切妻型の妻壁部４が形成され、一対の屋根材５ａ，５ｂが、一対の妻壁部４上に掛け渡されるとともに、棟梁上において山形をなすように突き合わされている。妻壁部４は、室外空間と室内空間とを通気可能に区画する無機発泡体を有して構成されている。これにより妻壁部４を通じたＤＩが可能となる。また、屋根を切妻構造とすることで、屋根の斜面に沿って空気の流れを形成することができ、妻壁部４からの換気（特に給気）を効率よく行うことができる。
【００１２】
斜め梁２ａ，２ｂと水平梁３との間には、略鉛直に設けられた複数の間柱６が、略等間隔に配されている。間柱６の間隔は、例えば４５５ｍｍである。妻壁部４を成す無機発泡体は、屋根材を支える壁材としては強度が不十分であるので、斜め梁２ａ，２ｂと水平梁３との間に複数の間柱６を設けることで、十分な強度を確保し屋根材をしっかりと支えることができる。
そして斜め梁２ａ，２ｂと水平梁３とによって形成される面において、間柱６の間に、妻壁部４を成す無機発泡体パネルＰ（Ｐ１〜Ｐ１９）が取り付けられている。
【００１３】
妻壁部４に無機発泡体パネルＰを配することにより、ＤＩにおいて広い面積を確保することができ、妻壁部４を通じての給排気を効率よく行うことができる。このような無機発泡体としては、通気型無機断熱コンクリート（ＢＩＣ）が好ましい。
図１において、Ｐ１、Ｐ２、Ｐ３、〜Ｐ１９は間柱６の間に設置された通気型無機断熱コンクリート（ＢＩＣ）を表しており、すべて異なる大きさ、形状である。ＢＩＣパネルの１枚の厚さは例えば５０ｍｍであり、１か所に同じ大きさのパネルが二重に設置されて厚さ１００ｍｍとなっている。
妻壁部４は家屋の表と裏に２か所あるとして、家屋の反対側にほぼ同様の妻壁部４がもう一揃い使われることになる。
【００１４】
図２は、妻壁部４の横断面を示す図である。
妻壁部４は、無機発泡体パネルＰに加えて、家屋の外側に配された外壁パネル７と、家屋の内側に配された内装材８とを有する。
外壁パネル７は、屋外に面して家屋の表層をなし、例えばＡＬＣ板やサイディング材、ＰＣコンクリート板等で構成される。
外壁パネル７と無機発泡体パネルＰとの間には通気層９が設けられている。ずなわち、無機発泡体パネルＰは通気層９に開放されており、通気層９は例えば軒裏や屋根の棟換気につながっている。この通気層９から、外気の給排気を行う。
内装材８は、無機発泡体を通じた給排気を阻害しないように、通気性を有する材料が用いられ、例えば帆布等で構成される。
【００１５】
本発明の屋根構造では、家屋の規模を延べ床面積にして３０〜５０坪程度に範囲を決め、それに応じた屋根の間口Ｔを５間（９１００ｍｍ）と設定した。そして、敷地の状況により、屋根材５ａの傾斜が、第１の側Ｓ１の隣地に対して４５度勾配、屋根材５ｂの傾斜が、反対側の第２の側Ｓ２に対して２．５寸勾配の、偏芯した切妻屋根とした。この屋根構造では、棟１０は第１の側Ｓ１より１間（１８２０ｍｍ）の位置に必然的に定まる。また、棟１０の高さも１間（１８２０ｍｍ）に必然的に定まる。
【００１６】
本発明の屋根構造において、例えば、第１の側Ｓ１は北側であり、第２の側Ｓ２は南側である。
第１の側Ｓ１（北側）の屋根材５ａの傾斜を４５度とすることにより、建築基準法による斜線制限（北側斜線制限）をほぼクリアできる。
第２の側Ｓ２（南側）の屋根材５ｂの傾斜は、２．５寸勾配（約１４度）である。例えば南向きの屋根材の上に太陽光発電パネルを敷き並べる場合、発電効率を考えると、屋根の傾斜は低くすることが好ましく、例えば５度程度とすることが好ましい。しかし、屋根の傾斜を低くすると、雨水が流れ落ちず屋根上に雨水が滞留しやすくなるため、雨水処理、防水処理が必要になってくる。そこで、南側の屋根傾斜を２．５寸勾配（約１４度）とすることで、雨水を効率よく流し落とすことと、太陽光発電の発電効率とを両立することができる。
【００１７】
第２の側Ｓ２（南側）の屋根材５ｂの傾斜は、第１の側Ｓ１（北側）の屋根材５ａの傾斜に比べて緩やかなので、南側の屋根材５ｂは、北側の屋根材５ａに比べて大面積を有するものとなる。南側の屋根材５ｂの面積を大きくとることで、より多くの太陽光発電パネルを設置することができ、より効率よく発電することができる。
【００１８】
呼吸型ＤＩの仕組みの中で、ＢＩＣは相対する妻壁に同量設置されるが、屋根の形を上記のように規定したために、物件の形状に関わらず、同じ形状及び大きさのＢＩＣが同数発生するものとなり、プランの異なる家屋に対しても同一の部材を用いることができるものとなり、生産効率を高めることができる。
また、妻壁部を通じた呼吸型ＤＩにおいて、屋根の高いところ（棟）が、家屋の左右（棟方向）で同じになるので、重力換気の際の負荷を少なくすることができる。
加えて、南側の緩勾配の屋根材は棟違い等により細分化されないため、太陽光発電ユニット等を効率的に配置することが可能となった。
【００１９】
以下、家屋の平面形状が変化した場合に、棟の位置がどのように変化するかについて、従来の切妻屋根構造と本発明の切妻屋根構造とで、比較しつつ説明する。なお、以下の説明では、図中上下に並べて配される家屋プランが、同形状同面積であることを前提として、比較している。
【００２０】
＜第１のプラン＞
図３は、略長方形状の家屋を上から見た図であり、図４は斜視図である。Ａ、Ｂ、Ｃは本発明の偏芯型切妻屋根構造を有する家屋であり、ａ、ｂ、ｃは従来の切妻屋根構造を有する家屋である。
以下の説明において、大文字（Ａ、Ｂ、…）で示される家屋と、小文字（ａ、ｂ、…）で示される家屋とはそれぞれ対応しており、屋根の形状が異なるだけで、家屋の平面形状及び面積はそれぞれ同じである。
図３では、上側が北方向を示している。各屋根の間口は、Ａ及びａが４間、Ｂ及びｂが６間、Ｃ及びｃが５間である。建物規模を表す１階と２階の床面積の合計は、３０〜５０坪程度を想定している。
ａ〜ｃの従来の屋根構造では、棟３０の位置は、間口に対して１／２の位置とされている。屋根の傾斜を一定とした場合、間口が異なると、棟の高さも変わる。このように、屋根の形状が異なってくると、切妻壁の形状も異なるため、各プランに合わせた形状や大きさの部材を個別に作らなければならなかった。
【００２１】
これに対し、Ａ〜Ｃの本発明の屋根構造では、棟１０は北から（図中上から）１間のところに位置する。また、本発明の屋根構造では、屋根の間口が変わっても棟１０の高さが変わらない。このように、本発明の屋根構造では、屋根の間口が異なっても、棟１０の位置及び高さは変わらない。これにより切妻壁の形状も変わらないため、様々に異なるプランにおいても、同じ寸法や形状の部材を用いることができ、作業効率やコストの面で有利である。
本発明では、屋根の間口及び棟１０の高さを一定とした。このため、例えばＡに示す、東西に長いプランのように、建物間口が４間より狭くなる場合、南側の屋根材の傾斜を途中で断ち切るものとする。また、例えばＢに示す、南北に長いプランのように、建物間口が５間より広くなる場合、屋根を水平にするのではなく、屋根傾斜を延長させて、基準階高より低いところまで軒先を下げる。これにより、間口が変わっても屋根勾配が一定となり、勾配部材・部品の共通化と合理化が図れる。
【００２２】
＜第２のプラン＞
図５は、入隅４０が１か所ある家屋を上から見た図であり、図６は斜視図である。Ｄ、Ｅ、Ｆは本発明の偏芯型切妻屋根構造を有する家屋であり、ｄ，ｅ，ｆは従来の切妻屋根構造を有する家屋である。
ｄ〜ｆの従来の切妻屋根では、屋根の中心に（対称となるように）棟３０が設けられている。プランにより入隅４０があることによって、左右の間口幅に違いが生じ、間口幅が変わったところで、棟３０の位置がずれていることが判る。
ここで問題となるのは、ｄに示すように屋根の上に妻壁が載っている場合である。下側の屋根の雨仕舞のために、妻壁部に防水層を立ち上げなければならない。このため、妻壁部における通気面積が、防水層の分だけ損なわれてしまい、通気面積の確保が難しくなる。つまり妻壁部にＢＩＣがあったとしても、呼吸型ＤＩにおいて十分に機能しない妻壁となる。
【００２３】
これに対し、Ｄ〜Ｆの本発明の屋根構造では、入隅４０などによる屋根間口の変化に左右されずに、棟１０の位置はずれたりせずに一定である。妻壁が屋根の上に載ることもないので、表裏の妻壁部の面積を等しくすることができる。これにより呼吸型ＤＩにおいて十分に機能する妻壁となる。
このように、本発明の屋根構造を適用することにより、プランにより平面形状が異なる家屋においても、棟１０の位置及び高さ、ひいては妻壁部の形状をほぼ一定にすることができる。これにより平面形状の異なる家屋についても同じ部材を用いることができ、生産性を向上することができる。
【００２４】
＜第３のプラン＞
プランと屋根形状に影響するファクターとして、入隅の数は極めて重要である。図７は、入隅４０が２か所ある家屋を上から見た図であり、図８は斜視図である。Ｇ、Ｈ、Ｉは本発明の偏芯型切妻屋根構造を有する家屋であり、ｇ，ｈ，ｉは従来の切妻屋根構造を有する家屋である。
ここでは、家屋の北側と南側にそれぞれ入隅４０がある場合の屋根形状を比較している。北側の入隅４０の位置を、Ｇ→Ｈ→Ｉ（ｇ→ｈ→ｉ）の順に西から東へ移動させた場合の、屋根形状の変化について示している。
【００２５】
ｇ〜ｉの従来の切妻屋根では、入隅４０の位置及び大きさが変化することに伴い、屋根の間口が変化し、棟３０の位置も変化している。また、棟３０の数が３個→２個→３個と変化しており、屋根に載る妻壁も必ず発生している。
これに対し、Ｇ〜Ｉの本発明の屋根構造では、入隅４０の位置及び大きさが変化しても、屋根形状に大きな変化はみられない。
【００２６】
＜第４のプラン＞
図９は、北側の入隅４０が浅い位置にある家屋を上から見た図であり、図１０は斜視図である。Ｊ、Ｋ、Ｌは本発明の偏芯型切妻屋根構造を有する家屋であり、ｊ，ｋ，ｌは従来の切妻屋根構造を有する家屋である。
北側の入隅４０の位置を、Ｊ→Ｋ→Ｌ（ｊ→ｋ→ｌ）の順に西から東へ移動させた場合の、屋根形状の変化について示している。
【００２７】
ｊ〜ｌの従来の切妻屋根では、入隅４０の浅い深いに関係なく、少しでも間口の変わる要因があれば、屋根形状に影響を受けることが判る。奥行半間（９１０ｍｍ）程度の入隅は、プラン上、頻度が高い。このことによって発生した屋根の上の小さな妻壁は防水的に覆わなければならないので、妻壁部にＢＩＣがあったとしても、呼吸型ＤＩにおいては十分に機能しない。
これに対し、Ｊ〜Ｌの本発明の屋根構造では、屋根形状に大きな変化はみられず、妻壁のＢＩＣの面積が損なわれないことが判る。これにより呼吸型ＤＩにおいて十分に機能することができる。
【００２８】
＜第５のプラン＞
図１１は、入隅が３か所ある家屋を上から見た図である。Ｍ、Ｎ、Ｏは本発明の偏芯型切妻屋根構造を有する家屋であり、ｍ，ｎ，ｏは従来の切妻屋根構造を有する家屋である。
北西角の深い入隅４０の位置を、Ｍ→Ｎ→Ｏ（ｍ→ｎ→ｏ）の順に西から東へ移動させた場合の、屋根形状の変化について示している。
【００２９】
ｍ〜ｏの従来の切妻屋根では、入隅４０の位置及び大きさが変化することに伴い、屋根の間口が変化し、棟３０の位置も変化している。また、棟３０の数が３〜４個の間で変化しており、屋根に載る妻壁も必ず発生している。
これに対し、Ｍ〜Ｏの本発明の屋根構造では、入隅４０の位置及び大きさが変化しても、屋根形状に大きな変化はみられない。
【００３０】
＜第６のプラン＞
図１２は、入隅が３か所ある家屋を上から見た図である。Ｐ、Ｑ、Ｒは本発明の偏芯型切妻屋根構造を有する家屋であり、ｐ，ｑ，ｒは従来の切妻屋根構造を有する家屋である。
ここでは、図１１とは逆に北東角の浅い入隅４０の位置を、Ｐ→Ｑ→Ｒ（ｐ→ｑ→ｒ）の順に西から東へ移動させた場合の、屋根形状の変化について示している。
【００３１】
ｐ〜ｒの従来の切妻屋根では、入隅４０の位置及び大きさが変化することに伴い、屋根の間口が変化し、棟３０の位置も変化している。また、棟３０の数が３〜４個の間で変化しており、屋根に載る妻壁も必ず発生している。
これに対し、Ｐ〜Ｒの本発明の屋根構造では、入隅４０の位置及び大きさが変化しても、屋根形状に大きな変化はみられない。
【００３２】
＜第７のプラン＞
図１３は、Ｐ〜Ｒ及びｐ〜ｒで表される家屋の屋根上に、市販の太陽光発電パネル２０（タテ９９０ｍｍ×ヨコ１１６５ｍｍ）を屋根上に敷き並べた様子を示した図である。
ｐ〜ｒの従来の切妻屋根では、屋根形状に応じてパネルを敷き詰めなければならず、屋根形状が複雑であると設置効率も良くないことが判る。
これに対し、Ｐ〜Ｒの本発明の屋根構造では、大まかな形状としての変化が少ないため、効率良く、パネルを敷き詰めることができる。また、本発明の切妻屋根構造では、南側の面を大きくなるようにとっているため、より多くのパネルを敷き詰めることができ、効率よく発電できる。
【００３３】
このように本発明の屋根構造では、切妻屋根の棟の位置を偏芯させることにより、間口に左右されずに棟の位置を一定にすることができる。これにより、妻壁が屋根の上に載ることを回避することができ、相対向する一対の妻壁の形状及び面積を等しくすることができる。
屋根が形状的変化をあまり受けないことの狙いは、単に屋根の上の妻壁を発生しないようにして東西の妻壁面積を等しくし、ＤＩを健全に機能させるだけでなく、太陽光発電パネルの設置効率の良さも意図している。
また、屋根が形状的変化を受けないことにより、部材の寸法や形状をほぼ同一にすることができ、生産性向上やコスト削減の面で有利である。
【００３４】
上述したＡ〜Ｒの本発明の家屋、及びａ〜ｒの従来の家屋について、各形体（プラン）ごとの基準階の床面積、及び、屋根上に設置できる太陽光発電パネルの数を表１にまとめて示す。
【００３５】
【表１】
2019218856.tif 000003
【００３６】
表１から明らかなように、本発明の切妻屋根（Ａ〜Ｒ）では、従来の切妻屋根（ａ〜ｒ）に比べて、概ね、１．５〜２．０倍の数の太陽光発電パネルを設置できることが判る。
【００３７】
以上、本発明の実施の形態について説明してきたが、本発明はこれに限定されるものではなく、発明の趣旨を逸脱しない範囲で適宜変更可能である。
【産業上の利用可能性】
【００３８】
本発明による屋根構造を用いることで、切妻屋根において、建物の形状や屋根の間口が変わっても、棟の位置が一定で大きな形状的変化を受けないものとなり、ＤＩ換気システムを採用した家屋の屋根として広く利用することができる。
【符号の説明】
【００３９】
１    屋根部
２ａ，２ｂ    斜め梁
３    水平梁
４    妻壁部
５ａ，５ｂ    屋根材
６    間柱
７    外壁パネル
８    内装材
９    通気層
１０    棟
２０    太陽光発電パネル
Ｐ    無機発泡体パネル
【図１】
2019218856.tif 000004
【図２】
2019218856.tif 000005
【図３】
2019218856.tif 000006
【図４】
2019218856.tif 000007
【図５】
2019218856.tif 000008
【図６】
2019218856.tif 000009
【図７】
2019218856.tif 000010
【図８】
2019218856.tif 000011
【図９】
2019218856.tif 000012
【図１０】
2019218856.tif 000013
【図１１】
2019218856.tif 000014
【図１２】
2019218856.tif 000015
【図１３】
2019218856.tif 000016